(57)【特許請求の範囲】
【請求項１】
自動車のインストルメントパネルの収納部構造において、
前記インストルメントパネルの上面に形成される開口部と、
前記インストルメントパネルの内部であって前記開口部の下方に位置しティッシュペーパーを収容するティッシュボックスを収納する収納部と、
前記開口部の車両後方側の縁から下降しさらに車両前方へ張り出して該開口部よりも狭められた内部開口を形成する張出部と、
前記開口部を塞ぐ蓋であって車両前方側に回転軸を有するヒンジ式の蓋と、
前記張出部の車両前方へ張り出した部位の上面に立設され車幅方向に沿って複数配列された支持リブであって前記内部開口から露出する前記ティッシュペーパーの一端を支持する支持リブと、
前記蓋の内面から突出し車幅方向に沿って複数配列された掬上リブであって前記蓋の閉時に前記支持リブに支持された前記ティッシュペーパーを下方へと押し付け該蓋の開時に該ティッシュペーパーを巻き込んで掬い上げる掬上リブとを備えることを特徴とする収納部構造。
【請求項２】
前記複数の支持リブは、車幅方向に並んだ第１および第２の支持リブを含み、
前記複数の掬上リブは、前記第１および第２の支持リブの間に位置する車幅方向に並んだ第１および第２の掬上リブを含み、
前記第１および第２の掬上リブは、前記蓋の閉時に、車両側方から見て前記支持リブと重なる角部を有する形状をなすことを特徴とする請求項１に記載の収納部構造。
【請求項３】
前記第１および第２の掬上リブは、前記蓋の閉時に、車両側方から見て前記支持リブと重なる部分に丸みを帯び下方に突出する突起を有することを特徴とする請求項２に記載の収納部構造。
【請求項４】
前記第１および第２の掬上リブは、前記回転軸から遠ざかるほど互いに離れるように、末広がりになっていることを特徴とする請求項２または３に記載の収納部構造。
【請求項５】
前記掬上リブは、前記蓋の閉時における該蓋の内面に車両前方側から車両後方側にかけて設けられていて、それぞれの前記掬上リブの車両前方側の端部が連結されていることを特徴とする請求項１から４のいずれか１項に記載の収納部構造。
【請求項６】
前記開口部の車両側方の両縁から下降しさらに該開口部の内側へ張り出す２つの側部張出部をさらに備え、該側部張出部は内側へ張り出す部分の先端が丸められていることを特徴とする請求項１から５のいずれか１項に記載の収納部構造。
【発明の詳細な説明】
【技術分野】
【０００１】
本発明は、自動車のインストルメントパネルの収納部構造に関する。
【背景技術】
【０００２】
自動車の車室内には、ティッシュペーパーを収容するティッシュボックスが持ち込まれる場合が多い。そのため、特許文献１から３に例示されるように、従来から、インストルメントパネルにティッシュボックスを収納する収納部を設ける構造が提案されている。なお、特許文献４に例示されるように、近年販売されているティッシュボックスは、ほぼポップアップ式を採用している。
【先行技術文献】
【特許文献】
【０００３】
【特許文献１】特開２００５−１４５０９５号公報
【特許文献２】特開２００７−５５２７３号公報
【特許文献３】実開平２−６０６４３号公報
【特許文献４】登録実用新案第３０５０６６９号公報
【発明の概要】
【発明が解決しようとする課題】
【０００４】
特許文献１から３に例示されるように、助手席側のインストルメントパネルにティッシュボックスを収納する場合、運転席側の乗員が手を伸ばしてティッシュペーパーを取ることが想定される。しかしながら、ティッシュペーパーを引き出す場合その取出口に対して垂直方向に引き出さなければ、ティッシュペーパーが取出口の角に干渉しつつ引き出されることとなるため破れる可能性が高い。運転席側の乗員が手を伸ばしてティッシュペーパーを取る場合には、これをその取出口に対して垂直方向に引き出すことは困難なので、ティッシュペーパーの破れを回避することができなかった。
【０００５】
また、特許文献１から３に例示されるように従来構造では、ティッシュボックスの取出口を蓋等で見えなくしている。美観に優れた構造にするためである。しかしながら、従来構造では、ティッシュペーパーの取り出しやすさについては、一切考慮していない。
【０００６】
本発明は、上記課題に鑑みてなされたものであり、ティッシュペーパーを破らずに容易に取り出すことができる、自動車のインストルメントパネルの収納部構造を提供することを目的とする。
【課題を解決するための手段】
【０００７】
上記課題を解決するために本発明の代表的な構成は、自動車のインストルメントパネルの収納部構造において、インストルメントパネルの上面に形成される開口部と、インストルメントパネルの内部であって開口部の下方に位置しティッシュペーパーを収容するティッシュボックスを収納する収納部と、開口部の車両後方側の縁から下降しさらに車両前方へ張り出して開口部よりも狭められた内部開口を形成する張出部と、開口部を塞ぐ蓋であって車両前方側に回転軸を有するヒンジ式の蓋と、張出部の車両前方へ張り出した部位の上面に立設され車幅方向に沿って複数配列された支持リブであって内部開口から露出するティッシュペーパーの一端を支持する支持リブと、蓋の内面から突出し車幅方向に沿って複数配列された掬上リブであって蓋の閉時に支持リブに支持されたティッシュペーパーを下方へと押し付け蓋の開時にティッシュペーパーを巻き込んで掬い上げる掬上リブとを備えることを特徴とする。
【０００８】
上記構成によれば、蓋の開時にティッシュペーパーは、複数の掬上リブによって掬い上げられ、開口部から引き出される。したがって、乗員はティッシュペーパーを容易に取り出すことができる。さらに運転席側の乗員が手を伸ばしてティッシュペーパーを取る場合にも、蓋の開時にティッシュペーパーは複数の掬上リブによって一定量引き出されているので、少し引っ張れば取り出すことができる。したがって運転席側の乗員が無理に横方向（その取出口に対して垂直方向以外の方向）から引っ張る必要がなく、その破れを防止することができる。
【０００９】
複数の支持リブは、車幅方向に並んだ第１および第２の支持リブを含み、複数の掬上リブは、第１および第２の支持リブの間に位置する車幅方向に並んだ第１および第２の掬上リブを含み、第１および第２の掬上リブは、蓋の閉時に、車両側方から見て支持リブと重なる角部を有する形状をなすとよい。
【００１０】
上記構成によれば、第１および第２の掬上リブのそれぞれの角部が、蓋の閉時に、第１および第２の支持リブの間のティッシュペーパーを下方へと押し付け高さ方向で干渉し、蓋の開時に、ティッシュペーパーを巻き込んで掬い上げる。したがって、ティッシュペーパーの掬い上げやすさの向上を図ることができる。
【００１１】
第１および第２の掬上リブは、蓋の閉時に、車両側方から見て支持リブと重なる部分に丸みを帯び下方に突出する突起を有するとよい。
【００１２】
上記構成によれば、蓋の開時に掬上リブによって掬い上げられたティッシュペーパーを、蓋の閉時に突起に引っ掛けて開口部の内部へと回収することができる。したがって、蓋の閉時に、蓋と開口部との隙間から、見栄え悪くティッシュペーパーがはみ出るといった事態をなくすことができる。なお、突起は、丸みを帯びているので、ティッシュペーパーを破いたりすることもない。
【００１３】
第１および第２の掬上リブは、回転軸から遠ざかるほど互いに離れるように、末広がりになっているとよい。
【００１４】
上記構成によれば、ティッシュペーパーを掬い上げる際に、車幅方向において掬上リブがより干渉するようになる。これにより、ティッシュペーパーの掬い上げやすさの向上を図ることができる。
【００１５】
掬上リブは、蓋の閉時における蓋の内面に車両前方側から車両後方側にかけて設けられていて、それぞれの掬上リブの車両前方側の端部が連結されているとよい。
【００１６】
上記構成によれば、掬上リブの剛性および蓋の剛性を向上することができる。
【００１７】
開口部の車両側方の縁から下降しさらに開口部の内側へ張り出す側部張出部をさらに備え、側部張出部は内側へ張り出す先端が丸められているとよい。
【００１８】
上記構成によれば、ティッシュペーパーが側部張出部の先端に干渉しつつ引き出されても、その破れを防止することができる。
【発明の効果】
【００１９】
本発明によれば、ティッシュペーパーを破らずに容易に取り出すことができる、自動車のインストルメントパネルの収納部構造を提供することができる。
【図面の簡単な説明】
【００２０】
【図１】本実施形態にかかる自動車のインストルメントパネルの収納部構造の外観図である。
【図２】図１の蓋の開時の拡大図である。
【図３】図１の蓋の開時の拡大斜視図である。
【図４】図１の蓋のＢ−Ｂ断面の端面図である。
【図５】図１の蓋の開閉動作を模式的に示す断面図である。
【図６】図２の蓋のＣ−Ｃ断面の端面図である。
【図７】図２の掬上リブの拡大図である。
【図８】図１の蓋の活用用途を例示する図である。
【発明を実施するための形態】
【００２１】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００２２】
なお図中、「車両前方」を矢印Ｆｗｄ、「車両右方」を矢印Ｒｈ、「車両上方」を矢印Ｕｐで表すこととする。
【００２３】
図１は、本実施形態にかかる自動車のインストルメントパネルの収納部構造（以下「収納部構造１００」と称する）の外観図である。図２は、蓋１０２の開時の拡大図である。図３は、蓋１０２の開時の拡大斜視図である。
【００２４】
図１に示すように、収納部構造１００では、インストルメントパネル１０４の助手席側にグローブボックス１０６が設けられる。図２、図３に示すように、収納部構造１００では、インストルメントパネル１０４の助手席側の上面に開口部１０８が設けられる。開口部１０８は、車両前方側に回転軸を有するヒンジ式の蓋１０２で塞がれる。蓋１０２の車両右方側には、蓋１０２を開閉する際に指を差し入れるための半円状に陥没した凹部１１０が設けられる。
【００２５】
図２、図３に示すように、収納部構造１００では、開口部１０８の車両後方側の縁１１２ａから下降しさらに車両前方へ張り出す張出部１１２が設けられる。また、収納部構造１００では、開口部１０８の車両側方の両縁１１２ｂ、１１２ｃから下降しさらに開口部１０８の内側へ張り出す２つの側部張出部１１４、１１６が設けられる。張出部１１２および側部張出部１１４、１１６はつながっていて、開口部１０８よりも狭められた内部開口１１８を形成する。
【００２６】
収納部構造１００では、張出部１１２の車両前方へ張り出した部位の上面に、車幅方向に沿って（並んで）第１および第２の支持リブ１２０、１２２が立設される。支持リブ１２０、１２２は、内部開口１１８から露出するティッシュペーパー１２４（図４等参照）の一端（車両後方側の端部）を支持する。なお、本実施形態では支持リブ１２０、１２２は２つであるが、複数設けられてもよい。
【００２７】
収納部構造１００では、蓋１０２の内面１０２ａから突出する第１および第２の掬上リブ１２６、１２８が設けられる。掬上リブ１２６、１２８は車幅方向に沿って（並んで）配列される。ここでは掬上リブ１２６、１２８は２つであるが、複数設けられてもよい。掬上リブ１２６、１２８は、蓋１０２の閉時に支持リブ１２０、１２２に支持されたティッシュペーパー１２４を下方へと押し付け、蓋１０２の開時にティッシュペーパー１２４を巻き込んで掬い上げる。
【００２８】
図２、図３に示すように、掬上リブ１２６、１２８は、蓋１０２の閉時における蓋１０２の内面１０２ａに車両前方側から車両後方側にかけて設けられていて、それぞれの掬上リブ１２６、１２８の車両前方側の端部が、蓋１０２の内面１０２ａの車両前方側から下方に突出する蓋１０２の端面１０２ｂによって連結される。これにより、掬上リブ１２６、１２８の剛性および蓋１０２の剛性を向上することができる。
【００２９】
掬上リブ１２６、１２８は、ヒンジ式の蓋１０２の回転軸から遠ざかるほど互いに離れるように、末広がりになっている（図２参照）。またここでは、掬上リブ１２６、１２８は、図２に示す蓋の開時において、第１の角部１２６ａ、１２８ａまでは車両上側ほど内面１０２ａからの突出量が増し、第１の角部１２６ａ、１２８ａまたは第２の角部１２６ｂ、１２８ｂを越えると車両上側ほど内面１０２ａからの突出量が減る形状をなす（図５、図７参照）。
【００３０】
図４は、図１の蓋１０２のＢ−Ｂ断面の端面図である。図５は、蓋１０２の開閉動作を模式的に示す断面図である。図５（ａ）が図１の模式的なＡ−Ａ断面図であり、図５（ｂ）が図５（ａ）から蓋１０２を開き始めた図であり、図５（ｃ）が図５（ｂ）から蓋１０２を開いた図である。図４に示すように、掬上リブ１２６、１２８は車幅方向において支持リブ１２０、１２２の間に設けられる。
【００３１】
図５（ａ）に示すように、掬上リブ１２６、１２８は、蓋１０２の閉時に、車両側方から見て支持リブ１２０、１２２と重なるように形成される。より具体的には、蓋１０２の閉時に、車両側方から見て第２の角部１２６ａ、１２８ａが支持リブ１２０、１２２と重なるように形成される。これにより、掬上リブ１２６、１２８は、ティッシュペーパー１２４と高さ方向で干渉し、ティッシュペーパー１２４と充分に接触する。なお、上述したように掬上リブ１２６、１２８は、回転軸から遠ざかるほど互いに離れるように末広がりに形成されるため、掬上リブ１２６、１２８は車幅方向への広がりを有し、ティッシュペーパー１２４をより引っ掛けやすくなっている。
【００３２】
したがって、図５（ｂ）に示すように、この状態から凹部１１０（図１等参照）に指を差し入れ蓋１０２を開き始めると、掬上リブ１２６、１２８の車両後方側、とりわけ第２の角部１２６ｂ、１２８ｂがティッシュペーパー１２４を巻き込んで回転する。そのため、図５（ｃ）に示すように、蓋１０２を開くことでティッシュペーパー１２４を掬い上げ、開口部１０８から露出するようにティッシュペーパー１２４を一定量引き出すことができる。
【００３３】
これより、乗員はティッシュペーパー１２４を容易に取り出すことができる。よって、運転席側の乗員が手を伸ばしてティッシュペーパー１２４を取る場合にも、蓋１０２の開時にティッシュペーパー１２４は掬上リブ１２６、１２８によって一定量引き出されているので、少し引っ張れば取り出すことができる。したがって運転席側の乗員が無理に横方向（取出口１３０ａに対して垂直方向以外の方向）から引っ張る必要がなく、ティッシュペーパー１２４の破れを防止することができる。
【００３４】
図６は図２の蓋１０２のＣ−Ｃ断面の端面図である。図６に示すように、本実施形態において側部張出部１１４、１１６は内側へ張り出す先端が丸められる。これにより、ティッシュペーパー１２４が側部張出部１１４、１１６の先端に干渉しつつ引き出されても、その破れを防止することができる。
【００３５】
図５（ａ）から（ｃ）に示すように、ティッシュペーパー１２４はポップアップ式のティッシュボックス１３０に収容され、ティッシュボックス１３０はインストルメントパネル１０４の内部であって開口部１０８の下方の収納部１３２に収納される。ティッシュボックス１３０をポップアップ式とすることで、取出口１３０ａからティッシュペーパー１２４を引き出すと、立て続けに後続のティッシュペーパー１２４が引き出され支持リブ１２０、１２２に支持される。これにより、蓋１０２の開時に、繰り返し、支持リブ１２０、１２２に支持されたティッシュペーパー１２４を掬い上げることができるので、使い勝手の向上を図ることができる。
【００３６】
なお、収納部１３２の底板１３２ａは、図５（ａ）から（ｃ）にて破線で図示するように下方に開くことができる。そのため、グローブボックス１０６を開け、収納部１３２の底板１３２ａを下方に開くことでティッシュボックス１３０を交換することができる。
【００３７】
図７は、掬上リブ１２６の拡大図である。ここでは車両右方側の掬上リブ１２６を挙げて説明するが、車両左方側の掬上リブ１２８も同様とする。図７に示すように、掬上リブ１２６は、蓋１０２の閉時に車両側方から見て支持リブと重なる第２の角部１２６ｂ近傍に、丸みを帯び下方に突出する突起１３４を有する。これにより、蓋１０２の開時に掬上リブ１２６によって掬い上げられたティッシュペーパー１２４を、蓋１０２の閉時に突起１３４に引っ掛けて開口部１０８の内部へと回収することができる。したがって、蓋１０２の閉時に、蓋１０２と開口部１０８との隙間から、見栄え悪くティッシュペーパー１２４がはみ出るといった事態をなくすことができる。なお、突起１３４は、丸みを帯びているので、ティッシュペーパー１２４を破いたりすることもない。
【００３８】
図８は、蓋１０２の活用用途を例示する図である。図８に例示するように、収納部構造１００では、蓋１０２を携帯電話や音楽機器等の収納スペースとして活用することもできる。この場合には、蓋１０２の端面１０２ｂが携帯電話や音楽機器等を載置する面となり、掬上リブ１２６、１２８が携帯電話や音楽機器等の倒れ込みを防止する縦壁となる。
【００３９】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００４０】
例えば上記実施形態では、ティッシュペーパー１２４の掬い上げやすさの向上を図るために、掬上リブ１２６、１２８を支持リブ１２０、１２２の間に設け、掬上リブ１２６、１２８を末広がりに形成し、第１の角部１２６ａ、１２８ａ、第２の角部１２６ｂ、１２８ｂを備える形状に掬上リブ１２６、１２８を形成した。しかし、掬上リブ１２６、１２８を支持リブ１２０、１２２の外側に設けたり、掬上リブ１２６、１２８の形状を異なるものとしたりしてもよい。
【産業上の利用可能性】
【００４１】
本発明は、自動車のインストルメントパネルの収納部構造に利用することができる。
【符号の説明】
【００４２】
１００…収納部構造、１０２…蓋、１０２ａ…内面、１０２ｂ…端面、１０４…インストルメントパネル、１０６…グローブボックス、１０８…開口部、１１０…凹部、１１２…張出部、１１２ａ、１１２ｂ、１１２ｃ…縁、１１４、１１６…側部張出部、１１８…内部開口、１２０、１２２…支持リブ、１２４…ティッシュペーパー、１２６、１２８…掬上リブ、１２６ａ、１２８ａ…第１の角部、１２６ｂ、１２８ｂ…第２の角部、１３０…ティッシュボックス、１３０ａ…取出口、１３２…収納部、１３２ａ…底板、１３４…突起
【図１】
0005895714.tif 000002
【図２】
0005895714.tif 000003
【図３】
0005895714.tif 000004
【図４】
0005895714.tif 000005
【図５】
0005895714.tif 000006
【図６】
0005895714.tif 000007
【図７】
0005895714.tif 000008
【図８】
0005895714.tif 000009